(57)【要約】【課題】軽量で、かつ、移動や収納が容易で、温度調整装置を設けることなく温風を排出することが可能な美容台を提供することを目的とする。【解決手段】美容台１０は、犬や猫などのペットをのせるための作業台１と、作業台１にのせたペットの毛を乾燥するための空気を排出する送風部２３と、作業台１に着脱可能な蓋６とにより構成される。作業台１の底面には吸引部１２が設けられ、吸引部１２より、掃除機２０の吸引力により作業台１に落ちたペットの毛が吸い込まれる。また、掃除機２０の排気口２２から排気された空気は、送風部２３を構成する排気取込管８、排気送風管３、Ｌ字状の排気送風管３ａ，３ｂを通ってホース１７に取り付けられたブラシ１５の排出口より排出される。【選択図】  図４
2006223231.tif 000002
【特許請求の範囲】
【請求項１】
掃除機の吸引力により愛玩動物の毛等を吸い込む吸引部を備えた作業台と、
前記掃除機の排気を取り込んで、前記作業台にのせた前記愛玩動物の毛を乾燥するための空気を通過させて排出する送風部とを備えた美容台。
【請求項２】
前記送風部には、前記愛玩動物の毛を整えるためのブラシが取り付けられ、
前記ブラシは、前記掃除機の排気を排出する排出口と、前記掃除機の吸引力を分岐する分岐管と連通して前記掃除機の吸引力により前記愛玩動物の毛等を吸い込む吸入口とを有するものである請求項１に記載の美容台。
【請求項３】
前記作業台に着脱可能な蓋体が設けられ、
該蓋体は、手を挿入するための挿入部を有するものである請求項１または２に記載の美容台。
【請求項４】
前記作業台は、中空管で形成された脚部に支持され、
前記脚部は、前記掃除機の排気を取り込み、前記送風部の一部として、取り込んだ排気を通過させるように形成されたものである請求項１から３のいずれかの項に記載の美容台。
【請求項５】
請求項１から４のいずれかの項に記載の美容台と、
掃除機とを備えた美容台セット。
【発明の詳細な説明】
【技術分野】
【０００１】
本発明は、犬や猫などの愛玩動物（ペット）の毛を刈り込んだり、シャンプーやシャンプー後のペットの毛を乾燥したりして手入れするための美容台および美容台セットに関する。
【背景技術】
【０００２】
近年の加熱するペットブームにより、ペットショップによる各種サービスを受ける犬や猫などのペットが増えている。ペットショップによるサービスの代表としてはトリミングが挙げられ、このトリミングには、ペットの毛を刈り込んだり長さを整えたりすることの他に、シャンプーをしたり乾燥やブラッシングを行う作業も含まれる。
【０００３】
特許文献１には、トリミングを行うトリマーがトリミング中に発生するペットの毛を吸い込んでしまうことや、トリマーの服にペットの毛が付着してしまうことを防止する美容台が記載されている。
【０００４】
図７に示すように、特許文献１に記載の美容台は、作業台３１と、吸引部３３と、外筒３４と、フィルタ３６と、送風機３８と、吐出部３９と、温度調整部３２と、ドライヤー部３５とを備えている。この美容台によれば、送風機３８を稼働させると、吸引部３３からペットの毛が吸い込まれ、フィルタ３６を通過して吐出部３９より吐き出される空気の温度を温度調整部３２により調整してドライヤー部３５から排出することができる。
【０００５】
ペットショップによるトリミングには多額の費用がかかるため、自宅において自分の手でトリミングを行いたい飼い主も多い。現状としては、庭や風呂場などでペットの毛を刈ったりシャンプーをしたりし、濡れたペットの毛をある程度タオル等で拭き取った後、別の場所へ移動させ、ドライヤーを使ってペットの毛をブラッシングしながら乾かしている。この一連の作業を行うと、ペットの毛があちこちに散乱したり、床が水で濡れたりするなどの問題が出てくるため、一般の家庭においてもトリミング用の美容台が望まれている。
【０００６】
【特許文献１】特開平１−２８９４２７号公報
【発明の開示】
【発明が解決しようとする課題】
【０００７】
しかしながら、トリミングのためだけに、ペットショップなどに設置されている大型の美容台を設置する場所を家庭内に設けることは、近年の住宅事情上容易ではない。従って、必要な時にだけ適当な場所に美容台を設置してトリミングを行うことが望まれる。また、ペットショップにおいても、移動を容易にしたり設置スペースを縮小したりするためにできるだけ小型で軽量の美容台が望まれている。
【０００８】
特許文献１に記載の美容台は、作業台３１に、フィルタ３６、送風機３８、温度調整部３２が一体となって形成されているので、美容台全体としての重量も大きくなり、移動したり収納したりすることが想定される家庭用としては不向きである。また、特許文献１に記載の美容台は、吸引部３３からペットの毛を吸引するための吸引力を発生させるために送風機３８を用いているので、ドライヤー部３５から乾燥に適した温風を出すためには、必ず温度調整部３２を設けて空気の温度の調整を行わなければならず、送風機３８だけでなく温度調整部３２を稼働するためのエネルギーも必要となる。
【０００９】
そこで、本発明は、軽量で、かつ、移動や収納が容易で、さらに、温度調整装置を改めて設けることなく温風を排出することが可能な美容台を提供することを目的とする。
【課題を解決するための手段】
【００１０】
本発明の美容台は、掃除機の吸引力により愛玩動物の毛等を吸い込む吸引部を備えた作業台と、掃除機の排気を取り込んで、作業台にのせた愛玩動物の毛を乾燥するための空気を通過させて排出する送風部とを備えたことを特徴とする。
【００１１】
本発明の美容台は、家庭用や業務用などの一般に広く普及している掃除機と接続するだけで、掃除機の吸引力により犬や猫などの愛玩動物の毛等を作業台の吸引部から吸い込むとともに、掃除機の排気を取り込んで、作業台にのせた愛玩動物の毛を乾燥するための空気を送風部から排出することができる。従って、トリミング中に、作業台に落下したペットの毛を吸引部から吸い込むとともに、掃除機から出る空気を送風部から排出させて、シャンプー等により濡れたペットの毛を乾燥することができる。家庭用や業務用などの掃除機においては、掃除機から排気される空気は、掃除機内部に設置されている直流モータにおいて、直流モータのブラシが摩擦熱を発生することによりすでに暖められた状態で排気されるので、このような掃除機の排気を取り込む本発明の美容台には、ペットの毛の乾燥に適した温度となるように温度調整装置を別途設ける必要がない。さらに、本発明の美容台は、掃除機から分離すれば、作業台と送風部のみの構成となるので、軽量かつ小型なものとすることができる。
【００１２】
本発明の美容台の送風部には、愛玩動物の毛を整えるためのブラシが取り付けられ、ブラシは、掃除機の排気を排出する排出口と、掃除機の吸引力を分岐する分岐管と連通して掃除機の吸引力により愛玩動物の毛等を吸い込む吸入口とを有するものである方が望ましい。
【００１３】
送風部に取り付けられたブラシが掃除機の吸引力を分岐する分岐管と連通することにより、作業台の吸引部からだけでなく、ブラシの吸入口からもペットの毛を吸引することができる。従って、ブラシをペットの体に当てて毛を整えながら、排出口から排出される温風により毛を乾燥することができ、同時に、ブラシの吸入口からペットの抜け毛を吸い込むことができる。従って、抜け毛が舞い上がって作業者が吸引してしまったり、作業台以外に抜け毛が落ちてしまったりすることを防止することができる。
【００１４】
また、本発明の美容台の作業台には着脱可能な蓋体が設けられ、蓋体は手を挿入するための挿入部を有するものである方が望ましい。
まず、蓋体を取り付ける前にペットを作業台の上に置く。そして蓋体を作業台に取り付け、挿入部から手を挿入してトリミングを行う。これにより、作業台は蓋体で覆われた状態となり、トリミング中に発生するペットの抜け毛が舞い上がって作業者が吸い込んだり、作業者の体に付着したりすることが防止される。また、抜け毛が作業台以外に落ちることも防止される。なお、この蓋体は半円柱状に形成され、片側半分がもう片側半分の外周面に沿って開閉可能に可動するように形成されたものでもよい。これにより、蓋体を作業台に取り付けた状態のまま、ペットを作業台にのせたり降ろしたりすることができる。
【００１５】
本発明の作業台は、中空管で形成された脚部に支持され、脚部は、掃除機の排気を取り込み、送風部の一部として、取り込んだ排気を通過させるように形成されたものである方が望ましい。
【００１６】
作業台が中空管で形成された脚部に支持されることによって、作業者が立った状態でトリミングを行いやすくなる。また、中空管で形成された脚部は、掃除機の排気を取り込み、送風部の一部として、取り込んだ掃除機の排気を通過させることができるので、掃除機の排気を送るためのパイプ等を別途設ける必要がない。
【発明の効果】
【００１７】
本発明の美容台は、家庭用や業務用などの一般に広く普及している掃除機に接続するだけで、作業台に落下したペットの毛を吸い込むとともに、シャンプー等により濡れたペットの毛を乾燥することができる。また、本発明の美容台は掃除機を利用するので、排気される空気はすでに暖められており、温度調整装置を別途用いる必要がない。さらに、本発明の美容台は、掃除機から分離すれば軽量かつ小型なものとなるので、容易に移動したり収納したりすることができる。
【００１８】
また、本発明のペット用美容台によれば、ブラシをペットの体に当ててペットの毛を整えながら乾燥することができるとともに、作業台の吸引部からだけでなくブラシの吸入口からもペットの抜け毛を吸い込むことができるので、抜けた毛が舞い上がって作業者が吸い込んだり、作業台以外に落ちたりすることを防止することができる。
【００１９】
作業台には着脱可能な蓋体が設けられたことにより、トリミング中に発生するペットの抜け毛を作業者が吸い込んだり、作業者の体に付着したりすることが防止できる。また、抜け毛が作業台以外に落ちることも防止することができる。
【００２０】
中空管で形成され、作業台を支持する脚部に、掃除機の排気を取り込み、送風部の一部として、取り込んだ掃除機の排気を通過させることができるので、掃除機の排気を送るためのパイプ等を別途作業台に設ける必要がなく、作業台周りがすっきりとし、トリミングの効率を上げることができる。
【発明を実施するための最良の形態】
【００２１】
以下、本発明の実施の形態について図面を用いて説明する。図１は、本発明の実施の形態の美容台の分解図である。
【００２２】
図１に示すように、本実施形態における美容台１０は、犬や猫などのペットをのせるための作業台１と、作業台１にのせたペットの毛を乾燥するための空気を排出する送風部２３と、作業台１に着脱可能な蓋体である蓋６とにより構成される。
【００２３】
作業台１は、錆を防止するためにステンレス製の薄板で平面視矩形状に形成されており、ペットをシャンプーする際に水があふれ出たりしない程度の深さを有する。作業台１の底面にはプラスチック製や木製の簀の子２が載置されており、ペットを作業台１に置く際、作業台１の底面から離した状態とすることができる。これにより、シャンプーを行う際にペットの足が洗浄液に浸ってペットがいやがったり、洗い流した洗剤が再びペットの足先に付着したりすることを防止することができる。
【００２４】
作業台１の底面には、トリミングにより抜けて作業台１に落ちたペットの毛を吸い込むための吸引部１２が設けられている。吸引部１２は、作業台１の底面に形成された吸引孔１２ａと、この吸引孔１２ａに接続された吸引管１２ｂとから構成され、吸引管１２ｂは後述する掃除機の吸気口と連通する。
また、作業台１の底面には排水孔１１ａが形成されている。この排水孔１１ａには排水管１１が接続されており、排水管１１に蛇腹状のホースなどをとりつけて適切な場所へ排水することができる。排水孔１１ａには、排水管１１からペットの毛が外部へ流れ出ないようにフィルタ１１ｂが取り付けられている。
【００２５】
また、作業台１の縁部には、ペットの首輪やハーネスに取り付けられた鎖やひもなどを括り付けるための係止具１３が設けられている。この係止具１３は縁部に数カ所設けてもよい。これにより、トリミングに慣れていない犬や猫などのペットを作業台の上に置いただけでは、ペットが暴れて作業ができない場合、首の部分だけでなくハーネスの胴体部分に取り付けた鎖やひもを括り付けて、トリミングに慣れていないペットが作業台１の中で動かないようにすることができ、作業者がトリミングを行いやすい状態をつくることができる。
【００２６】
作業台１は、作業者がトリミングを行いやすいような高さに形成された脚部７に取り外し可能に支持される。図１に示すように、脚部７は、４本の中空管に補強材７ａを交差させて組み立てられている。この脚部７は、ヒンジ７ｂにより折りたたみ可能となっている。これにより、美容台１０を使用しない場合は、作業台１から脚部７を取り外し、折りたたんでコンパクトに収納することが可能となる。
【００２７】
蓋６は、作業台１に着脱可能となるように形成されている。蓋６は、透明な樹脂製の材料等により半円柱状に形成されており、片側半分の蓋体６ｃがもう片側半分の蓋体６ｄ外周面に沿って開閉可能に可動する。蓋体６ｄには蓋６を閉じた状態でトリミングを行うことができるように、作業者が手を挿入するための腕挿入部６ａが形成されている。また、蓋６の上部には、後述するブラシを挿入するための挿入孔６ｂが形成されている。
【００２８】
送風部２３は、脚部７の４本の中空管のうちの一本である排気取込管８と、作業台１の角に設けられ排気取込管８に接続される中空の排気送風管３と、この排気送風管３に接続される２本のＬ字状の排気送風管３ａ，３ｂと、排気送風管３ｂの先端に取り付けられ、可撓性を有する材料で形成された排出管５とにより構成される。この排出管５からペットの毛を乾燥するための空気が排出される。
排気取込管８の中央付近には、排気取込口８ａが設けられており、後述する掃除機の排気口にアタッチメント用のホース１８ａを介して連通される。また、排気取込管８と排気送風管３との嵌合部分には、空気の漏れを防ぐためのＯリング１４が嵌め込まれている。
【００２９】
吸入部２４は、脚部７の４本の中空管のうち、排気取込管８に隣接する中空管である吸気排出管９と、作業台１の角に設けられ吸気排出管９に接続される中空の吸気送風管４と、この吸気送風管４に接続されるＬ字状の吸気送風管４ａと、可撓性を有する材料で形成された吸入管１６とにより構成され、後述する掃除機の吸入力を利用した吸入を行う。Ｌ字状の吸気送風管４ａは排気送風管３ｂに沿うように設けられており、吸入管１６は排出管５とともに蛇腹状のホース１７に収納される。排出管５および吸入管１６は、可撓性を有する材料で形成されているので、作業者がトリミングを行う際に、広範囲に動かすことができるようになっている。また、ホース１７の先端には排出管５および吸入管１６がそれぞれ接続されたブラシ１５が取り付けられている。
吸気排出管９の中央付近には吸気排出口９ａが設けられており、後述する掃除機の吸気口にアタッチメント用のホース１８ｂを介して連通される。なお、吸気排出管９と吸気送風管４との嵌合部分にも、空気の漏れを防ぐためのＯリング１４が嵌め込まれている。なお、空気が滞留するのを防止するために、吸気排出管９と排気取込管８とにおいては、吸気排出口９ａおよび排気取込口８ａよりも下部は中実で形成する方が望ましい。
【００３０】
ここで、本実施形態の美容台１０に接続される掃除機について説明する。図２は、本実施形態の美容台１０に接続される掃除機の背面図である。
【００３１】
図２に示すように、本実施形態の掃除機２０は、家庭用および業務用の掃除機を利用したものである。掃除機２０の吸気口２１にはＹ字状の分岐管１９が接続され、分岐した一方の管１９ａはアタッチメント用のホース１８ｃを介して吸引管１２ｂに、分岐した他方の管１９ｂは同じくアタッチメント用のホース１８ｂを介して吸気排出管９の吸気排出口９ａに連通される。また、筒状に形成されている排気口２２には、アタッチメント用のホース１８ａを介して排気取込管８の排気取込口８ａが連通される。
【００３２】
掃除機２０内には、吸い込んだ毛やゴミを取り除いたり、吸入した空気を清浄化したりするフィルタが備えられているので、このフィルタによりきれいな空気を排気口２２から排気することができる。また、掃除機２０内に設けられた直流モータは、直流モータのブラシが周囲と接触することによる摩擦熱や、電線で発生するロスが銅損となることによる熱を発生するので、これらの熱により掃除機２０内を通過する空気は暖められて排気口２２から排気される。
【００３３】
次に、本実施形態の美容台１０に用いられるブラシ１５について説明する。図３は、本実施形態の美容台１０に用いられるブラシ１５を示す図であり、（ａ）は平面図、（ｂ）は底面図、（ｃ）は断面図である。
【００３４】
図３に示すように、ブラシ１５の本体１５ｓは円柱状に形成されており、この本体１５ｓのペットの体に当てる部分となる下面側には、刷毛１５ｃが植え付けられている。また、同じく下面側の中央部には、掃除機２０の吸引力により抜けたペットの毛を吸入する吸入口１５ｄが形成され、この吸入口１５ｄの周囲に、掃除機２０の排気を排出する排出口１５ｅが４箇所形成されている。
ブラシ１５の上面には吸入管１６および排出管５の先端がそれぞれ接続可能な吸入管取付孔１５ａおよび排出管取付孔１５ｂが形成されている。吸入管取付孔１５ａは本体１５ｓ内部に形成された吸入路１５ｆを介して吸入口１５ｄと連通している。また、排出管取付孔１５ｂは本体１５ｓ内で４つに分岐する排出路１５ｇを介して排出口１５ｅと連通している。
【００３５】
次に、本実施形態の美容台１０の使用態様について図に基づいて説明する。図４は、本実施形態の美容台１０の使用態様を説明する図である。
【００３６】
図１および図４に示すように、美容台１０は、簀の子２を底面に載置した作業台１が脚部７に支持され、蓋６が作業台１に装着された状態で使用される。トリミングを行う場合、まず蓋体６ｃを回動させて開け、作業者Ｂは犬Ａを作業台１に載せ、犬Ａの首輪に取り付けられた鎖を係止具１３に括り付けて固定した後、蓋体６ｃを回動させて閉める。
そして、シャンプーを行う場合は、水道に取り付けたホース等を挿入孔６ｂより挿入し、作業者Ｂは腕挿入部６ａより腕を挿入して犬Ａに対してシャンプーを行う。シャンプーの際に発生した排水は排水孔１１ａから排水管１１を通って外部へ排出される。
【００３７】
次に、犬Ａの毛を乾燥する作業に入る。ホース１７を挿入孔６ｂより挿入してブラシ１５を取り付け、掃除機２０のスイッチを入れて稼働させる。そして、作業者Ｂは犬Ａにブラシ１５を当て、ブラシ１５の刷毛１５ｃで犬Ａの毛を繰り返しブラッシングする。
【００３８】
掃除機２０の吸引力により、ブラッシングで抜けた犬Ａの毛は、ブラシ１５の本体１５ｓの中央部に設けられた吸入口１５ｄから吸い込まれ、吸入路１５ｆを通って吸入管取付孔１５ａから吸入管１６へと吸入される。そして、Ｌ字状の吸気送風管４ａから直線状の吸気送風管４を通り、吸気排出管９の吸気排出口９ａからアタッチメント用のホース１８ｂを通って吸気口２１から掃除機２０に吸引される。これと同時に、ブラッシングにより抜けて作業台１に落下した犬Ａの毛は、掃除機２０の吸引力により、吸引孔１２ａから吸い込まれ、吸引管１２ｂおよびアタッチメント用のホース１８ｃを通って、吸気口２１から掃除機２０に吸引される。
【００３９】
掃除機２０に吸引された犬Ａの毛やトリミングで発生したゴミや埃、およびこれらといっしょに吸い込まれた空気は、掃除機２０内に設けられているフィルタを通過する。このとき、犬Ａの毛やゴミおよび埃はこのフィルタにより取り除かれ、また空気清浄機能がついたフィルタ等により空気は清浄化される。また、掃除機２０内には直流モータが設けられており、犬Ａの毛やゴミとともに掃除機２０内に吸い込まれた空気は、掃除機２０内を通過する間に暖められ、温風となって排気口２２から排出される。
【００４０】
掃除機２０の排気口２２より排出される暖かい空気は、アタッチメント用のホース１８ａを通って、排気取込管８の排気取込口８ａから送風部２３に取り込まれる。そして、２本のＬ字状の排気送風管３ａ，３ｂから排出管５を通って排出管取付孔１５ｂよりブラシ１５内に排出される。そして、ブラシ１５の本体１５ｓ内に排出された空気は、途中で分岐して、４箇所設けられた排出口１５ｅより外部に排出され、この温風により犬Ａの毛が乾燥されていく。
【００４１】
このように、本実施形態の美容台１０によれば、排気取込口８ａから送られてきた空気を排出口１５ｅから排出して、刷毛１５ｃで毛を整えながら犬Ａの毛を乾燥するとともに、同時に、ブラシ１５の吸入口１５ｄおよび作業台１の吸引部１２から犬Ａの毛を吸引することができる。これにより、犬Ａから抜けた毛が作業台１上で舞い上がったりすることがないので、作業者Ｂの作業効率を上げることができる。なお、ブラッシングだけを行いたい場合は、排出管取付孔１５ｂから排出管５を取り外すとよい。
【００４２】
トリミングが終了すると、作業者Ｂは蓋体６ｃを回動させて開け、係止具１３から鎖を外して犬Ａを床に降ろす。次に、作業台１を清掃し、アタッチメント用のホース１８ａ，１８ｂ，１８ｃをそれぞれ掃除機２０から取り外す。そして、蓋６および脚部７を作業台１から外し、脚部７を折りたたんで所定の場所に収納する。
【００４３】
以上のように、本実施形態の美容台１０は、掃除機２０に接続するだけで、ペットの毛を乾燥するとともに、乾燥作業により抜けたペットの毛を吸い込むことができる。また、掃除機２０を利用したことにより、排気される空気はすでに暖められているので、温度調整装置を別途用いる必要もない。さらに、掃除機２０から分離すれば美容台１０は軽量かつ小型なものとなるので、容易に移動したり収納したりすることができる。
【００４４】
なお、作業台１はステンレスに限らず、より軽量化が図れるプラスチック製のものであってもよい。また、特に小型のペットをトリミングする場合は、作業台１の形状は平面視矩形状に限らず、作業性を上げるために平面視円形に形成してもよい。
【００４５】
なお、蓋６の腕挿入部６ａは蓋体６ｃにも形成することができる。これにより、作業者二人で作業台１の両側から作業を行うことができる。また、腕挿入部６ａの縁部にゴム製の布体を取り付けて、この布体に形成した穴から腕を挿入するようにしてもよい。これにより腕挿入部６ａが密閉されるので水が飛び散ったり毛が散乱したりするのを防止することができる。
【００４６】
また、掃除機２０の吸気口２１には、分岐管１９を用いる代わりに、途中で管路が分岐した二股のアタッチメント用のホースを用いてもよい。これにより、分岐管１９を用いることなく、二股のアタッチメント用のホースの基端部を吸気口２１に接続し、分岐したそれぞれのホースの先端を吸引管１２ｂおよび吸気排出口９ａに接続させることができ、掃除機２０の吸引力による吸引を吸引部１２および吸入部２４の２箇所から行うことができる。
【００４７】
また、本実施形態に用いたブラシ１５の他の実施例として、図５に示すような略矩形状のブラシ２５を用いてもよい。図５はブラシの他の実施例を示す図であり、（ａ）は平面図、（ｂ）は底面図（ｃ）は側面図である。ブラシ２５もブラシ１５と同様に、本体２５ｓの下面側には刷毛２５ｃが植え付けられている。また、ブラシ２５の側面には吸入管１６および排出管５の先端がそれぞれ接続可能な吸入管取付孔２５ａおよび排出管取付孔２５ｂが形成されている。
本実施形態のブラシ１５と同様に、排出管取付孔２５ｂよりブラシ２５内に排出される空気は、途中で分岐して、４箇所設けられた排出口２５ｅより外部に排出される。また、掃除機の吸引力を利用して、ブラシ２５の中心部に設けられた吸入口２５ｄより空気を吸入し、この空気は吸入管取付孔２５ａから吸入管１６へと吸入される。このようなブラシ２５を用いることにより、ペットの体への接触面積が増えるので、大型のペットに対してトリミングを行う場合にブラッシングが容易となる。
【００４８】
また、図６に示すような本体部の背面に突出することなく形成された排気口２７を有する掃除機２６の場合には、図６に示すアタッチメント用のホース２８を用いるとよい。
アタッチメント用のホース２８の先端には、排気口２７の形状に合わせた矩形状の取込部２８ａが設けられ、この取込部２８ａの外周部には排気口２７から排出される空気の漏れを防ぐためのゴム製のパッキン２８ｂが形成されている。このアタッチメント用のホース２８は、取込部２８ａに設けられたゴム製の取付バンド２８ｃの係止部２８ｄを掃除機２６の吸気口２１に係止させて取り付けることができる。このアタッチメント用のホース２８を用いることにより、掃除機２６の排気口２７から排出される暖かい空気を取り込んで、ブラシ１５の排出口１５ｅから排出することができる。
【産業上の利用可能性】
【００４９】
本発明の美容台は、家庭用および業務用の掃除機を利用することができるので、軽量で、かつ、移動や収納が容易で、温度調整装置を改めて設けることなく温風を排出することができる美容台として有用である。
【図面の簡単な説明】
【００５０】
【図１】本発明の実施の形態の美容台の分解図である。
【図２】本実施形態の美容台に接続される掃除機の背面図である。
【図３】本実施形態の美容台に用いられるブラシを示す図であり、（ａ）は平面図、（ｂ）は底面図、（ｃ）は断面図である。
【図４】本実施形態の美容台の使用態様を説明する図である。
【図５】ブラシの他の実施例を示す図であり、（ａ）平面図、（ｂ）は底面図、（ｃ）は側面図である。
【図６】本実施形態とは異なる排気口を有する掃除機に取り付けられるアタッチメント用のホースの図である。
【図７】従来の美容台の図である。
【符号の説明】
【００５１】
１０  美容台
１  作業台
２  簀の子
３，３ａ，３ｂ  排気送風管
４，４ａ  吸気送風管
５  排出管
６  蓋
６ｃ，６ｄ  蓋体
６ａ  腕挿入部
６ｂ  挿入孔
７  脚部
７ａ  補強材
７ｂ  ヒンジ
８  排気取込管
８ａ  排気取込口
９  吸気排出管
９ａ  吸気排出口
１１  排水管
１１ｂ  フィルタ
１１ａ  排水孔
１２  吸引部
１２ａ  吸引孔
１２ｂ  吸引管
１３  係止具
１４  Ｏリング
１５，２５  ブラシ
１５ｓ，２５ｓ  本体
１５ａ，２５ａ  吸入管取付孔
１５ｂ，２５ｂ  排出管取付孔
１５ｃ，２５ｃ  刷毛
１５ｄ，２５ｄ  吸入口
１５ｅ，２５ｅ  排出口
１５ｆ  吸入路
１５ｇ  排出路
１６  吸入管
１７  ホース
１８，１８ａ，１８ｂ，１８ｃ，２８  アタッチメント用のホース
１９  分岐管
１９ａ，１９ｂ  管
２０，２６  掃除機
２１  吸気口
２２，２７  排気口
２３  送風部
２４  吸入部
２８ａ  取込部
２８ｂ  パッキン
２８ｃ  取付バンド
２８ｄ  係止部
Ａ  犬
Ｂ  作業者
【図１】
2006223231.tif 000003
【図２】
2006223231.tif 000004
【図３】
2006223231.tif 000005
【図４】
2006223231.tif 000006
【図５】
2006223231.tif 000007
【図６】
2006223231.tif 000008
【図７】
2006223231.tif 000009